(57)【要約】【課題】点検作業等によって発生した警報か否かを容易に判断することができる統合警報データ管理装置を提供する。【解決手段】実施形態の統合警報データ管理装置１ａは、作業管理装置５から作業管理データ、アイソレーション管理装置２からアイソレーションデータおよびＡＮＮ盤３からＡＮＮデータを受信する受信処理部１１と、ＩＣタグデータが書き込まれた作業員ＩＣタグ６からＩＣタグデータを読み込むＩＣタグ読込処理部１３と、作業対象および警報対象を関連付けて作業計画ＤＢ１２１を検索可能なデータ管理部１２と、作業計画ＤＢ１２１に格納された作業計画データに基づいて、作業による要因で点灯する警報窓に対応するＡＮＮデータとそれ以外のＡＮＮデータとを判別して、その判別した結果を表示装置４へ出力する出力処理部１４とを有する。【選択図】図１
2014170282.tif 000002
【特許請求の範囲】
【請求項１】
対象プラントでの作業を特定する作業管理データを管理して作業員ＩＣタグに前記作業管理データから抽出したデータを含むＩＣタグデータを書き込む作業管理装置、前記対象プラントにおけるプラント設備の隔離状態を示すアイソレーションデータを管理するアイソレーション管理装置、前記対象プラントにおける警報対象の警報状態に基づいて複数の警報窓の点灯を制御してＡＮＮデータを生成する警報表示盤および表示装置の各々と通信可能であり、前記警報対象の前記警報状態を管理する統合警報データ管理装置であって、
前記作業管理装置から前記作業管理データを受信し、前記アイソレーション管理装置から前記アイソレーションデータを受信し、前記警報表示盤から前記ＡＮＮデータを受信する受信処理部と、
前記ＩＣタグデータが書き込まれた前記作業員ＩＣタグから前記ＩＣタグデータを読み込むＩＣタグ読込処理部と、
前記作業管理データ、前記アイソレーションデータ、前記ＡＮＮデータおよび前記ＩＣタグデータを作業計画データとして格納する作業計画データベースを有し、前記作業および前記警報対象を関連付けて前記作業計画データベースを検索可能なデータ管理部と、
前記作業計画データベースに格納された前記作業計画データに基づいて、前記作業による要因で点灯する前記警報窓に対応する前記ＡＮＮデータとそれ以外の前記ＡＮＮデータとを判別して、その判別した結果を前記表示装置へ出力する出力処理部とを有する
ことを特徴とする統合警報データ管理装置。
【請求項２】
前記出力処理部は、前記判別した結果に基づいて、前記作業による要因で点灯する前記警報窓に対応する前記ＡＮＮデータを前記警報表示盤へ通知する
ことを特徴とする請求項１に記載の統合警報データ管理装置。
【請求項３】
前記作業計画データは、さらに、作業ＩＤごとに作業開始時刻および作業終了時刻を含み、
前記データ管理部は、作業中データを格納する作業中データベースを有し、前記作業計画データベースに格納された前記作業計画データの前記作業開始時刻および作業終了時刻に基づいて、前記作業ＩＤごとに前記作業について作業中であるか否かを判定し、作業中であると判定した前記作業について前記作業計画データベースから前記作業計画データを抽出し、抽出した前記作業計画データを前記作業中データとして前記作業中データベースに格納し、
前記出力処理部は、前記判別した結果と前記作業中データベースに格納された前記作業中データに基づいて、前記作業中であると判定された前記作業による要因で点灯する前記警報窓に対応する前記ＡＮＮデータを前記警報表示盤へ通知する
ことを特徴とする請求項１に記載の統合警報データ管理装置。
【請求項４】
前記出力処理部は、前記警報表示盤の前記警報窓が点灯しない基本イメージデータを有し、前記基本イメージデータに基づいて、前記作業による要因で点灯する前の前記警報窓の作業前イメージデータを編集し、かつ、前記作業による要因で点灯した後の前記警報窓の作業後イメージデータを編集して、前記作業前イメージデータおよび前記作業後イメージデータを前記表示装置へ出力する
ことを特徴とする請求項１ないし請求項３のいずれか一項に記載の統合警報データ管理装置。
【請求項５】
対象プラントでの作業を特定する作業管理データを管理して作業員ＩＣタグに前記作業管理データから抽出したデータを含むＩＣタグデータを書き込む作業管理装置、前記対象プラントにおけるプラント設備の隔離状態を示すアイソレーションデータを管理するアイソレーション管理装置、前記対象プラントにおける警報対象の警報状態に基づいて複数の警報窓の点灯を制御してＡＮＮデータを生成する警報表示盤および表示装置の各々と通信可能であり、前記作業管理データ、前記アイソレーションデータ、前記ＡＮＮデータおよび前記ＩＣタグデータを作業計画データとして格納する作業計画データベースを有して前記警報対象の前記警報状態を管理する統合警報データ管理装置に用いられる統合警報データ管理方法であって、
前記作業管理装置から前記作業管理データを受信し、または、前記アイソレーション管理装置から前記アイソレーションデータを受信し、または、前記警報表示盤から前記ＡＮＮデータを受信する受信処理ステップと、
前記ＩＣタグデータが書き込まれた前記作業員ＩＣタグから前記ＩＣタグデータを読み込むＩＣタグ読込処理ステップと、
前記作業および前記警報対象を関連付けて前記作業計画データベースを検索するデータ管理ステップと、
前記作業計画データベースに格納された前記作業計画データに基づいて、前記作業による要因で点灯する前記警報窓に対応する前記ＡＮＮデータとそれ以外の前記ＡＮＮデータとを判別して、その判別した結果を前記表示装置へ出力する出力処理ステップとを含む
ことを特徴とする統合警報データ管理方法。
【請求項６】
対象プラントにおける警報対象の警報状態に基づいて複数の警報窓の点灯を制御してＡＮＮデータを生成する警報表示盤に対して、前記警報窓の状態を管理する統合警報データ管理装置と、
前記統合警報データ管理装置からの表示出力を表示する表示装置と、
前記対象プラントでの作業を特定する作業管理データを管理して作業員ＩＣタグに前記作業管理データから抽出したデータを含むＩＣタグデータを書き込む作業管理装置と、
前記対象プラントにおけるプラント設備の隔離状態を示すアイソレーションデータを管理するアイソレーション管理装置と、を備え、
前記統合警報データ管理装置は、
前記作業管理装置から前記作業管理データを受信し、前記アイソレーション管理装置から前記アイソレーションデータを受信し、前記警報表示盤から前記ＡＮＮデータを受信する受信処理部と、
前記ＩＣタグデータが書き込まれた前記作業員ＩＣタグから前記ＩＣタグデータを読み込むＩＣタグ読込処理部と、
前記作業管理データ、前記アイソレーションデータ、前記ＡＮＮデータおよび前記ＩＣタグデータを作業計画データとして格納する作業計画データベースを有し、前記作業および前記警報対象を関連付けて前記作業計画データベースを検索可能なデータ管理部と、
前記作業計画データベースに格納された前記作業計画データに基づいて、前記作業による要因で点灯する前記警報窓に対応する前記ＡＮＮデータとそれ以外の前記ＡＮＮデータとを判別して、その判別した結果を前記表示装置へ出力する出力処理部とを有する
ことを特徴とする統合警報データ管理システム。
【発明の詳細な説明】
【技術分野】
【０００１】
本発明の実施形態は、プラントにおける警報および点検作業等に関するデータを管理する統合警報データ管理装置、統合警報データ管理方法および統合警報データ管理システムに関する。
【背景技術】
【０００２】
原子力発電プラントなどのプラントにおいて、運転員は、中央操作室の主盤、副盤（例えば警報窓を有する）に出力される警報により、プラントの運転中での正常運転逸脱に係わるパラメータ、設備機器の異常等を確認している。また、プラント運転中に実施する設備簡易点検時や、プラント停止中に実施する設備精密点検時などの点検作業により警報窓が点灯していることについても確認され、プラント停止中であっても設備に異常がないことを確認している。
【０００３】
近年、警報監視の支援装置として警報データ収集装置が提供されており、中央操作室の主盤、副盤に出力される警報窓と警報窓点灯の要因を計算機に伝送で送信し、計算機を介して警報窓の状態、変化時刻、警報窓発生の詳細要因を運転員に提供することで、プラント運転中の評価状態の監視が行われている。
【０００４】
なお、発電プラントのプロセス値及び機器状態情報の少なくとも一方に関する検出信号を検出器から受信し、前記検知信号に基づいて警報信号を生成する警報処理装置において、警報が発生したとき、所定時間以上警報が途切れるまでの、その警報、原因警報、結果警報を一連の警報信号として因果関係を考慮して格納しておくことで、その後の詳細な検索を可能とすることが知られている（例えば、特許文献１を参照）。
【先行技術文献】
【特許文献】
【０００５】
【特許文献１】特開２０１１−１５４４５６号公報
【発明の概要】
【発明が解決しようとする課題】
【０００６】
前述した特許文献１などの技術では、それぞれの支援システムを活用することで、警報、点検作業、信号アイソレーションを省力化して実施することが可能となっている。しかしながら、点検期間中の警報確認では、現状、プラントの異常による警報か、点検作業による警報かを運転員が判断する必要がある。また、複数の点検作業が交錯するような状況となると、警報点灯時、各作業員との確認や各作業資料内容の確認などが必要であり、点検作業による警報窓の点灯か否かを判断するための確認に要する時間が長くなり、プラントの異常発見に遅れが生じる等によりプラント運用に影響を与えるおそれがある。
【０００７】
本発明の実施形態が解決しようとする課題は、点検作業等によって発生した警報か否かを容易に判断することができる統合警報データ管理装置、統合警報データ管理方法および統合警報データ管理システムを提供することである。
【課題を解決するための手段】
【０００８】
上記課題を解決するために、実施形態の統合警報データ管理装置は、対象プラントでの作業を特定する作業管理データを管理して作業員ＩＣタグに前記作業管理データから抽出したデータを含むＩＣタグデータを書き込む作業管理装置、前記対象プラントにおけるプラント設備の隔離状態を示すアイソレーションデータを管理するアイソレーション管理装置、前記対象プラントにおける警報対象の警報状態に基づいて複数の警報窓の点灯を制御してＡＮＮデータを生成する警報表示盤および表示装置の各々と通信可能であり、前記警報対象の前記警報状態を管理する統合警報データ管理装置である。当該統合警報データ管理装置が、前記作業管理装置から前記作業管理データを受信し、前記アイソレーション管理装置から前記アイソレーションデータを受信し、前記警報表示盤から前記ＡＮＮデータを受信する受信処理部と、前記ＩＣタグデータが書き込まれた前記作業員ＩＣタグから前記ＩＣタグデータを読み込むＩＣタグ読込処理部と、前記作業管理データ、前記アイソレーションデータ、前記ＡＮＮデータおよび前記ＩＣタグデータを作業計画データとして格納する作業計画データベースを有し、前記作業および前記警報対象を関連付けて前記作業計画データベースを検索可能なデータ管理部と、前記作業計画データベースに格納された前記作業計画データに基づいて、前記作業による要因で点灯する前記警報窓に対応する前記ＡＮＮデータとそれ以外の前記ＡＮＮデータとを判別して、その判別した結果を前記表示装置へ出力する出力処理部とを有することを特徴とする。
【０００９】
また、上記課題を解決するために、実施形態の統合警報データ管理方法は、対象プラントでの作業を特定する作業管理データを管理して作業員ＩＣタグに前記作業管理データから抽出したデータを含むＩＣタグデータを書き込む作業管理装置、前記対象プラントにおけるプラント設備の隔離状態を示すアイソレーションデータを管理するアイソレーション管理装置、前記対象プラントにおける警報対象の警報状態に基づいて複数の警報窓の点灯を制御してＡＮＮデータを生成する警報表示盤および表示装置の各々と通信可能であり、前記作業管理データ、前記アイソレーションデータ、前記ＡＮＮデータおよび前記ＩＣタグデータを作業計画データとして格納する作業計画データベースを有して前記警報対象の前記警報状態を管理する統合警報データ管理装置に用いられる統合警報データ管理方法である。当該統合警報データ管理方法が、前記作業管理装置から前記作業管理データを受信し、または、前記アイソレーション管理装置から前記アイソレーションデータを受信し、または、前記警報表示盤から前記ＡＮＮデータを受信する受信処理ステップと、前記ＩＣタグデータが書き込まれた前記作業員ＩＣタグから前記ＩＣタグデータを読み込むＩＣタグ読込処理ステップと、前記作業および前記警報対象を関連付けて前記作業計画データベースを検索するデータ管理ステップと、前記作業計画データベースに格納された前記作業計画データに基づいて、前記作業による要因で点灯する前記警報窓に対応する前記ＡＮＮデータとそれ以外の前記ＡＮＮデータとを判別して、その判別した結果を前記表示装置へ出力する出力処理ステップとを含むことを特徴とする。
【００１０】
また、上記課題を解決するために、実施形態の統合警報データ管理システムは、対象プラントにおける警報対象の警報状態に基づいて複数の警報窓の点灯を制御してＡＮＮデータを生成する警報表示盤に対して、前記警報窓の状態を管理する統合警報データ管理装置と、前記統合警報データ管理装置からの表示出力を表示する表示装置と、前記対象プラントでの作業を特定する作業管理データを管理して作業員ＩＣタグに前記作業管理データから抽出したデータを含むＩＣタグデータを書き込む作業管理装置と、前記対象プラントにおけるプラント設備の隔離状態を示すアイソレーションデータを管理するアイソレーション管理装置と、を備えている。さらに、前記統合警報データ管理装置が、前記作業管理装置から前記作業管理データを受信し、前記アイソレーション管理装置から前記アイソレーションデータを受信し、前記警報表示盤から前記ＡＮＮデータを受信する受信処理部と、前記ＩＣタグデータが書き込まれた前記作業員ＩＣタグから前記ＩＣタグデータを読み込むＩＣタグ読込処理部と、前記作業管理データ、前記アイソレーションデータ、前記ＡＮＮデータおよび前記ＩＣタグデータを作業計画データとして格納する作業計画データベースを有し、前記作業および前記警報対象を関連付けて前記作業計画データベースを検索可能なデータ管理部と、前記作業計画データベースに格納された前記作業計画データに基づいて、前記作業による要因で点灯する前記警報窓に対応する前記ＡＮＮデータとそれ以外の前記ＡＮＮデータとを判別して、その判別した結果を前記表示装置へ出力する出力処理部とを有することを特徴とする。
【発明の効果】
【００１１】
本発明に係る統合警報データ管理装置、統合警報データ管理方法および統合警報データ管理システムの実施形態によれば、点検作業等によって発生した警報か否かを容易に判断することができる。
【図面の簡単な説明】
【００１２】
【図１】本発明に係る統合警報データ管理システムおよび統合警報データ管理装置の第１の実施形態の構成を示すブロック図。
【図２】図１の作業計画データベースの構成例を示す図。
【図３】図１の統合警報データ管理装置に用いられる統合警報データ管理処理フローを示すフロー図。
【図４】本発明に係る統合警報データ管理システムおよび統合警報データ管理装置の第２の実施形態の構成を示すブロック図。
【図５】本発明に係る統合警報データ管理システムおよび統合警報データ管理装置の第３の実施形態の構成を示すブロック図。
【図６】図５の統合警報データ管理装置に用いられる作業中判定処理フローを示すフロー図。
【図７】図５の統合警報データ管理装置に用いられるＡＮＮデータ送信処理フローを示すフロー図。
【図８】本発明に係る統合警報データ管理システムおよび統合警報データ管理装置の第４の実施形態の構成を示すブロック図。
【発明を実施するための形態】
【００１３】
以下、本発明に係る実施形態の統合警報データ管理装置、統合警報データ管理方法および統合警報データ管理システムについて、図面を参照して具体的に説明する。ここで、互いに同一または類似の部分には共通の符号を付して、重複する説明は省略する。ここで説明する下記の実施形態はいずれも、発電所などのプラントにおける統合警報データ管理システムの例をとりあげて説明する。
【００１４】
［第１の実施形態］
図１は、本発明に係る統合警報データ管理システムおよび統合警報データ管理装置の第１の実施形態の構成を示すブロック図である。また、図２は図１の作業計画データベースの構成例を示す図であり、図３は図１の統合警報データ管理装置に用いられる統合警報データ管理処理フローを示すフロー図である。
【００１５】
本実施形態の統合警報データ管理システム５０ａは、複数のプラントの設備、機器（プラント設備）などから検出される警報を総合的に管理するシステムである。このために、統合警報データ管理システム５０ａは、図１に示すように、統合警報データ管理装置１ａ、アイソレーション管理装置２、ＡＮＮ盤（警報表示盤とも称する）３、表示装置４、作業管理装置５および作業員ＩＣタグ６を備えている。
【００１６】
はじめに、統合警報データ管理システム５０ａを構成するこれらの装置等について、図１を参照しながら説明する。
【００１７】
統合警報データ管理装置１ａは、ＡＮＮ（アナンシェータ）盤３の警報出力（警報に関する表示、音声等）について、図１に示す他の装置から送信されるデータに基づいて警報対象の警報状態を管理する。統合警報データ管理装置１ａについては、詳しくは後述する。
【００１８】
アイソレーション管理装置２は、対象プラントのプラント設備についてアイソレーションデータを生成して、管理する。アイソレーションデータは、アイソレーション管理装置２に保存されており、例えば点検作業時にプラント機器の誤動作を防止するための各機器及びプラント信号の隔離状態を示すデータを含む。例えば、あるポンプの主電源オフである場合に、アイソレーション管理装置２は、このポンプの状態が主電源オフであることをアイソレーションデータとして管理する。
【００１９】
アイソレーション管理装置２は、生成したアイソレーションデータを記憶して、逐次、更新、削除等の管理を行う。アイソレーション管理装置２は、アイソレーションデータの更新等の都度、これらを統合警報データ管理装置１ａへ送信する。
【００２０】
ＡＮＮ盤３は、対象プラントのプラント設備などの警報状態を警報窓に集約し、運転員にプラント設備などの警報状態を通知する。このために、ＡＮＮ盤３は、対象プラントにおける警報対象の警報状態に基づいて、複数の警報窓の点灯および消灯を制御する。また、ＡＮＮ盤３は、例えばプラント設備の各々に対する警報窓の点灯または消灯の状態を表す警報関連データ（以下、ＡＮＮデータと称する）を生成する。
【００２１】
ＡＮＮ盤３は、ＡＮＮデータについて、プラント設備の各々の警報対象に対する警報窓の点灯または消灯、音声出力等を行う。また、ＡＮＮ盤３は、ＡＮＮデータを統合警報データ管理装置１ａへ送信する。
【００２２】
作業管理装置５は、対象プラントでの作業を特定する作業ＩＤ、作業対象、作業期間および作業に従事する作業員（作業員ＩＤ）を少なくとも含む作業管理データを管理して作業員を特定可能とする作業員ＩＣタグ６に作業管理データから抽出したデータを含むＩＣタグデータを書き込む。
【００２３】
作業管理装置５は、対象プラントで実施される作業（作業ＩＤ）ごとの作業対象、作業期間、従事する作業員などを管理する。このために、作業管理装置５は、作業管理データを生成し、記憶する。作業管理装置５に記憶される各作業には、作業を特定するために、例えば一意に定められた作業ＩＤが付与される。
【００２４】
また、作業管理装置５は、作業管理データのうちの作業ＩＤおよび作業員ＩＤなどを含むＩＣタグデータを作業員ＩＣタグ６に書き込む。これにより、作業員ＩＣタグ６には、ＩＣタグデータが記憶される。また、作業管理装置５により作業員ＩＣタグ６に書き込まれるＩＣタグデータは、適宜、更新可能とされる。
【００２５】
作業員ＩＣタグ６は、例えばＩＣタグデータを記憶するためのメモリ、データを送受信するための通信回路（無線通信の場合にはアンテナなども含む）等を有している。作業員ＩＣタグ６は、予め用意され、作業管理装置５に記憶されている作業管理データに登録されている作業員に携帯される。
【００２６】
作業員ＩＣタグ６は、例えば電池等を搭載しないノンバッテリー方式である。また、電池等を搭載するバッテリー方式であってもよい。バッテリー方式のような場合には、作業員ＩＣタグ６から遠方の距離へＩＣタグデータを送信可能である。また、作業員ＩＣタグ６は、例えばモニタ画面等を有する携帯端末のような機器であってもよい。また、統合警報データ管理装置１ａと作業員ＩＣタグ６との間における通信は、例えば所定の周波数の電波を用いたデータ通信である。この他にも、赤外線通信や、光通信等を用いてもよい。
【００２７】
作業管理装置５は、適宜、作業管理データを更新可能である。作業管理装置５は、作業管理データを生成および更新等を行った場合に、それらの作業管理データを統合警報データ管理装置１ａへ送信する。統合警報データ管理装置１ａでは、送信された作業管理データを適宜更新する。
【００２８】
統合警報データ管理装置１ａは、受信した作業管理データ、ＡＮＮデータおよびアイソレーションデータと、作業員ＩＣタグ６から読み取ったＩＣタグデータとを用いて、ＡＮＮ状態および作業計画データに関する情報を表示データとして生成し、表示装置４へ出力する。
【００２９】
表示装置４は、統合警報データ管理装置１ａからＡＮＮ状態および作業計画データに関する表示データを入力し、それら入力したデータに基づいてＡＮＮ状態表示４１および作業計画データ表示４２として表示する。
【００３０】
以上説明したアイソレーション管理装置２、ＡＮＮ盤３、表示装置４および作業管理装置５は、各々、統合警報データ管理装置１ａと通信可能なように接続されている。例えば、これらの装置が、ＬＡＮ（Ｌｏｃａｌ  Ａｒｅａ  Ｎｅｔｗｏｒｋ）を介して、通信可能なように接続されてもよく、専用ケーブルなど、またはそれらの組み合わせにより接続されてもよい。
【００３１】
次に、統合警報データ管理装置１ａの構成について、図１を参照しながら説明する。
【００３２】
統合警報データ管理装置１ａは、図１に示すように、受信処理部１１、データ管理部１２、ＩＣタグ読込処理部１３、および出力処理部１４を有している。
【００３３】
受信処理部１１は、ＡＮＮ盤３から送信されるＡＮＮデータを受信する。受信処理部１１は、さらに、ＡＮＮ管理連携処理部１１１、アイソレーション管理連携処理部１１２、および、作業管理連携処理部１１３を有する。
【００３４】
ＡＮＮ管理連携処理部１１１は、ＡＮＮ盤３から送信されたＡＮＮデータを受信し、そのＡＮＮデータをデータ管理部１２へ出力する。データ管理部１２は、受信処理部１１から入力されたＡＮＮデータを作業計画ＤＢ１２１へ格納する。
【００３５】
ＡＮＮデータは、ＡＮＮ盤３に格納されており、例えばＡＮＮ盤３のＡＮＮ状態（警報窓点灯中、警報確認内容、正常／異常など）を示す。ＡＮＮデータは、例えばＡＮＮＩＤ（ＡＮＮ識別番号）、警報窓番号、警報対象、警報状態（正常／異常）、点灯状態、警報発生時刻、警報解除時刻などを含む。
【００３６】
ＡＮＮ管理連携処理部１１１は、受信したＡＮＮデータをデータ管理部１２へ出力する。
【００３７】
アイソレーション管理連携処理部１１２は、アイソレーション管理装置２から送信されたアイソレーションデータを受信し、そのアイソレーションデータをデータ管理部１２へ出力する。データ管理部１２は、受信処理部１１から入力されたアイソレーションデータを作業計画ＤＢ１２１へ格納する。
【００３８】
アイソレーションデータは、アイソレーション管理装置２にて生成され、格納されている。アイソレーションデータは、例えば点検作業時にプラント機器の誤動作を防止するための各機器及びプラント信号の隔離状況を示すデータを含む。具体的には、ポンプの主電源ＯＦＦ、圧力調整弁Ａの開放、給水弁Ｂの開放などである。
【００３９】
作業管理連携処理部１１３は、作業管理装置５から送信された作業管理データを受信し、その作業管理データをデータ管理部１２へ出力する。データ管理部１２は、受信処理部１１から入力された作業管理データを作業計画ＤＢ１２１へ格納する。
【００４０】
作業管理データは、作業管理装置５にて生成され、格納されている。作業管理データは、例えば複数のプラント設備、機器に対する各々の作業（点検作業、修理作業等）を特定するために付与される作業ＩＤ（作業管理番号）ごとに、作業内容（作業名）、少なくとも警報発生要因に関連する作業の範囲や対象を含む作業対象、作業期間（作業開始予定日および予定時刻・完了予定日および予定時刻）、作業員を特定するための作業員ＩＤ（作業員の管理番号）、作業員が携帯する作業員ＩＣタグを特定するＩＣタグ番号などを含む。
【００４１】
ＩＣタグ読込処理部１３は、作業員が携帯する作業員ＩＣタグ６からＩＣタグデータを読み込む。ＩＣタグ読込処理部１３と作業員ＩＣタグ６との通信に電波が用いられる場合に、例えばＩＣタグ読込処理部１３がアンテナを有する。ＩＣタグデータは、例えばＩＣタグ番号、作業員ＩＤ、作業ＩＤ、作業内容、作業対象などを含む。
【００４２】
前述したようなＩＣタグ読込処理部１３は、作業員ＩＣタグ６と通信するために、電波を発射（送信）する。電波の送信範囲は、例えばＩＣタグ読込処理部１３のアンテナが設けられる場所の近傍である。例えば、作業員が出入りするゲート（出入口）周辺などである。また、１箇所だけでなく、複数の箇所にＩＣタグ読込処理部１３（またはアンテナ）が設けられてもよい。
【００４３】
作業員は、点検作業を行う前に作業員ＩＣタグ６を携帯し、この電波の送信範囲であるゲートを経由して、点検作業場所へ移動する。このときに、作業員ＩＣタグ６は、例えばノンバッテリー方式である場合、ＩＣタグ読込処理部１３から発射される電波を受信して、その受信した電波により電力を発生させる。作業員ＩＣタグ６は、その電力を用いてＩＣタグデータを所定周波数の電波により送信する。これにより、ＩＣタグ読込処理部１３は、作業員ＩＣタグ６から送信されたＩＣタグデータを受信し、そのＩＣタグデータをデータ管理部１２へ出力することができる。
【００４４】
なお、作業員ＩＣタグ６は、バッテリー方式であってもよい。このような方式の場合には、作業員ＩＣタグ６はより遠方の距離へＩＣタグデータを送信可能である。また、作業員ＩＣタグ６は、例えば携帯端末のような機器であってもよい。このような機器の場合には、点検作業エリアをカバーする無線通信可能な範囲に作業員が移動することにより、作業員の立ち入りを検出可能である。
【００４５】
作業員は、作業管理データに基づき、作業対象機器のアイソレートや、点検に係る操作を行う。ＡＮＮ盤３およびアイソレーション管理装置２は、当該操作に係るＡＮＮデータ、アイソレーションデータを受信処理部１１に送信する。
【００４６】
データ管理部１２は、受信処理部１１から作業管理データ、ＡＮＮデータおよびアイソレーションデータを入力する。また、データ管理部１２は、ＩＣタグ読込処理部１３を介して、作業員ＩＣタグ６から読み込まれたＩＣタグデータを入力する。
【００４７】
データ管理部１２は、入力した作業管理データ、ＡＮＮデータおよびアイソレーションデータを、作業計画データの一部として作業計画ＤＢ（データベース）１２１へ格納する。また、データ管理部１２は、入力したＩＣタグデータ（およびその付加データ（読込時刻）も含む）を、作業計画データの一部として作業計画ＤＢ１２１へ格納する。
【００４８】
すなわち、作業計画ＤＢ１２１に格納される作業計画データには、作業管理データ、ＡＮＮデータ、アイソレーションデータ、およびＩＣタグデータを含む。
【００４９】
図２に、図１の作業計画ＤＢ１２１の構成例を示す。図２に示す作業計画ＤＢ１２１は、作業管理データテーブル１２１１、アイソレーションデータテーブル１２１２、ＡＮＮデータテーブル１２１３およびＩＣタグデータテーブル１２１４を有している。
【００５０】
作業管理データテーブル１２１１には作業管理データが格納され、アイソレーションデータテーブル１２１２にはアイソレーションデータが格納され、ＡＮＮデータテーブル１２１３にはＡＮＮデータが格納される。
【００５１】
また、ＩＣタグデータテーブル１２１４には、ＩＣタグデータと共に、ＩＣタグ読込処理部１３が作業員ＩＣタグ６からＩＣタグデータを読み込んだ日付けおよび時刻（読込時刻と称す）がＩＣタグ番号に関連付けられて格納されている。
【００５２】
データ管理部１２は、図２に示すように、例えば作業ＩＤや作業員ＩＤ、作業期間、作業対象などの所定の複数の項目についていずれかの条件キー（例えば作業ＩＤ＝００１、作業対象＝ポンプなど）を設定し、作業計画ＤＢ１２１を検索する。データ管理部１２は、検索してヒットした作業計画データを抽出する。データ管理部１２は、抽出した作業計画データまたはその一部のデータを出力処理部１４へ出力する。
【００５３】
例えば、データ管理部１２は、作業計画ＤＢ１２１について、作業ＩＤごとに、ＩＣタグデータと、そのＩＣタグデータに含まれる作業ＩＤにより特定される作業計画データを検索する。さらに、データ管理部１２は、特定した作業計画データに基づいて、作業期間および作業対象となるプラント設備などを絞り込み、また、アイソレーションデータに基づいて、ＡＮＮデータから例えば点検作業によって発生する警報対象を特定することができる。
【００５４】
例えば、データ管理部１２が、図２に示す作業計画ＤＢ１２１から作業対象として“ポンプ”を検索するとする。データ管理部１２は、作業管理データテーブル１２１１の作業対象から“ポンプ”について検索をかける。また、データ管理部１２は、アイソレーションデータテーブル１２１２から“ポンプ”が隔離対象であるか検索する。なお、図２では、アイソレーションデータに“ポンプの主電源ＯＦＦ”としているが、この他にもポンプに関連する隔離状態が複数あってもよい。
【００５５】
さらに、データ管理部１２は、予め有している隔離対象と警報対象との対応関係に基づいて、“ポンプ”に関連する警報対象をＡＮＮデータテーブル１２１３から検索する。なお、データ管理部１２は、予め、隔離対象と警報対象との対応関係、また、作業対象と警報対象との対応関係（例えば図２に示す破線矢印の関係）についてのデータ（リスト）を有している。
【００５６】
以上の検索により、データ管理部１２は、これらの作業計画データから該当する作業によって発生する警報（警報対象など）を、ＡＮＮデータテーブル１２１３から特定する。データ管理部１２は、この特定した作業によって発生する警報に関連するＡＮＮデータについて、出力処理部１４へ通知（出力）する。また、この他にも、データ管理部１２は、作業計画ＤＢ１２１に基づいて、直近（予め定められた日数や月数など）の作業期間を含む作業に関する作業計画データを抽出し、抽出した作業計画データを出力処理部１４へ出力する。
【００５７】
この他にも、データ管理部１２は、ＩＣタグデータテーブル１２１４から作業対象に関連付けられる作業（作業ＩＤで特定）の作業員のゲートへの入出や、作業管理データテーブル１２１１から作業開始時刻、作業終了時刻などにより、当日（または翌日等も含む）の作業時間帯を管理する。
【００５８】
出力処理部１４は、データ管理部１２から抽出された作業計画データに基づいて、作業による要因で点灯する警報窓に対応するＡＮＮデータとそれ以外のＡＮＮデータとを判別する。出力処理部１４は、その判別した結果を表示装置４へ出力する。
【００５９】
具体的には、データ管理部１２が作業計画ＤＢ１２１を参照し、格納されている作業計画データのうちから、作業ＩＤごとに、ＡＮＮデータと、作業管理データと、アイソレーションデータと、ＩＣタグデータとを抽出する。さらに、出力処理部１４が、ＡＮＮデータに基づき、現在の警報窓状態や警報窓の点灯／消灯の履歴についてＡＮＮ状態表示４１に関する表示データとして生成し、表示装置４へ出力（送信）する。
【００６０】
また、データ管理部１２は、例えば作業計画データから点検作業のためにアイソレーションが実施された場合に、ＡＮＮ盤３の警報窓が点灯するアイソレーションデータを作業計画ＤＢ１２１から抽出する。これを受けた出力処理部１４は、作業計画データ表示４２に関する表示データとして表示装置４へ出力（送信）する。
【００６１】
表示装置４は、ＡＮＮ状態表示４１に関する表示データ、作業計画データ表示４２に関する表示データを受信すると、ＡＮＮ状態表示４１、作業計画データ表示４２の各々について表示する。
【００６２】
以下、図３を参照しながら、図１の統合警報データ管理装置１ａに用いられる統合警報データ管理処理フローについて説明する。
【００６３】
統合警報データ管理装置１ａにおいて、受信処理部１１の作業管理連携処理部１１３が、作業管理装置５から送信された作業管理データを受信したかチェックする（ステップＳ１）。
【００６４】
作業管理データを受信した場合に（ステップＳ１のＹｅｓ）、作業管理連携処理部１１３は、その作業管理データをデータ管理部１２へ出力する。データ管理部１２は、入力した作業管理データを作業計画ＤＢ１２１へ格納する（ステップＳ２）。一方、作業管理データを受信していない場合には（ステップＳ１のＮｏ）、処理をステップＳ３へ移す。
【００６５】
次に、アイソレーション管理連携処理部１１２は、アイソレーション管理装置２から送信されたアイソレーションデータを受信したかチェックする（ステップＳ３）。
【００６６】
アイソレーションデータを受信した場合に（ステップＳ３のＹｅｓ）、アイソレーション管理連携処理部１１２は、そのアイソレーションデータをデータ管理部１２へ出力する。データ管理部１２は、入力したアイソレーションデータを作業計画ＤＢ１２１へ格納する（ステップＳ４）。一方、アイソレーションデータを受信していない場合には（ステップＳ３のＮｏ）、処理をステップＳ５へ移す。
【００６７】
次に、ＡＮＮ管理連携処理部１１１は、ＡＮＮ盤３から送信されたＡＮＮデータを受信したかチェックする（ステップＳ５）。
【００６８】
ＡＮＮデータを受信した場合に（ステップＳ５のＹｅｓ）、ＡＮＮ管理連携処理部１１１は、そのＡＮＮデータをデータ管理部１２へ出力する。データ管理部１２は、入力したＡＮＮデータを作業計画ＤＢ１２１へ格納する（ステップＳ６）。一方、ＡＮＮデータを受信していない場合に（ステップＳ５のＮｏ）、処理をステップＳ７へ移す。
【００６９】
次に、ＩＣタグ読込処理部１３は、作業員ＩＣタグ６からＩＣタグデータを受信したかチェックする（ステップＳ７）。
【００７０】
ＩＣタグデータを受信した場合に（ステップＳ７のＹｅｓ）、ＩＣタグ読込処理部１３は、そのＩＣタグデータとそれを受信した日時を付加してデータ管理部１２へ出力する。データ管理部１２は、入力したＩＣタグデータおよびその日時を作業計画ＤＢ１２１へ格納する（ステップＳ８）。一方、ＩＣタグデータを受信していない場合には（ステップＳ７のＮｏ）、処理をステップＳ９へ移す。
【００７１】
次に、データ管理部１２は、作業計画ＤＢ１２１に基づいて、直近のＡＮＮ状態および所定期間の作業計画データをチェックする（ステップＳ９）。データ管理部１２は、チェックした結果を出力処理部１４へ出力する。
【００７２】
次に、出力処理部１４は、入力したＡＮＮ状態および所定期間の作業計画データに基づいて、ＡＮＮ状態表示４１および作業計画データ表示４２のための表示データを生成する（ステップＳ１０）。出力処理部１４は、生成した表示データを表示装置４へ送信する。
【００７３】
次に、表示装置４は、出力処理部１４から受信した表示データに基づいて、ＡＮＮ状態表示４１および作業計画データ表示４２を表示する（ステップＳ１１）。
【００７４】
本処理終了後、ステップＳ１に処理を戻す。なお、本処理フローは一例を示すものであり、各装置の各々が対応するステップを実行し、前述したステップが前後してもよい。言うまでもなく、本処理フローのステップの順に限定されるものでもない。
【００７５】
第１の実施形態によれば、プラント設備の点検作業等による要因で点灯する警報窓の情報を運転員に提供することができる。これにより、警報窓の点灯した要因が点検作業等により点灯したものか、プラント設備異常に起因して点灯したものかを運転員が容易に判断することができるため、運転員の警報窓点灯時の確認作業の負担を軽減することができる。
【００７６】
［第２の実施形態］
図４は、本発明に係る統合警報データ管理システムおよび統合警報データ管理装置の第２の実施形態の構成を示すブロック図である。
【００７７】
図４に示す統合警報データ管理システム５０ｂは、図１に示す統合警報データ管理システム５０ａの構成に加えて、さらに、統合警報データ管理装置１ｂが出力処理部１４にＡＮＮデータ送信処理部１４１を有し、ＡＮＮ盤３がＡＮＮ出力フィルタ処理部３１を有するものである。その他の構成は第１の実施形態と同様である。
【００７８】
統合警報データ管理システム５０ｂでは、統合警報データ管理システム５０ａの機能に加えて、点検作業等が作業計画にある場合に、ＡＮＮ盤３の警報窓を不要に点灯しないように抑制するものである。
【００７９】
このために、統合警報データ管理装置１ｂは、ＡＮＮ盤３から送信されるＡＮＮデータについて、作業対象であることを示すデータを付加した作業中ＡＮＮデータを生成し、この作業中ＡＮＮデータをＡＮＮ盤３へ送信するものである。すなわち、統合警報データ管理装置１ｂは、ＡＮＮ盤３が作業中ＡＮＮデータに対応する警報窓を点灯抑制対象とすることができるようなデータを提供する。
【００８０】
以下、図４を参照しながら、前述した構成について説明する。
【００８１】
ＡＮＮデータ送信処理部１４１は、データ管理部１２の作業計画ＤＢ１２１に格納されている作業計画データを参照し、作業ＩＤごとにその作業期間中に作業により点灯する警報窓に関するデータを読み込む。ＡＮＮデータ送信処理部１４１は、例えば読み込んだデータをＡＮＮデータに対応する形式で作業中ＡＮＮデータとして加工し、ＡＮＮ盤３へ送信する。
【００８２】
ＡＮＮ盤３では、ＡＮＮ出力フィルタ処理部３１が出力処理部１４から作業中ＡＮＮデータを受信する。
【００８３】
ＡＮＮ出力フィルタ処理部３１は、作業中ＡＮＮデータに基づいて、ＡＮＮ盤３が警報窓を点灯制御する際に、ＡＮＮデータのうちで作業中ＡＮＮデータにて作業期間中に作業により点灯する警報窓について点灯させない。また、ＡＮＮ出力フィルタ処理部３１は、それ以外の警報に対応する警報窓について点灯または消灯させる。すなわち、ＡＮＮ出力フィルタ処理部３１は、ＡＮＮデータを前述したようにフィルタ処理し、点検作業等により作業期間中に点灯する警報窓を抑制する。
【００８４】
これにより、本来のプラント設備異常等についての警報ではなく、点検作業等によって発生した警報を抑制することができる。この結果、プラント設備の点検作業期間中においても、運転員は、本来のプラント設備異常等についての警報か否かを容易に判断することができる。
【００８５】
第２の実施形態によれば、プラント設備の点検作業等による要因で点灯する警報窓の点灯を抑制することができるため、運転員は点検作業等による要因で点灯する警報窓の確認作業の負担を軽減することができる。
【００８６】
［第３の実施形態］
図５は、本発明に係る統合警報データ管理システムおよび統合警報データ管理装置の第３の実施形態の構成を示すブロック図である。また、図６は図５の統合警報データ管理装置に用いられる作業中判定処理フローを示すフロー図であり、図７は図５の統合警報データ管理装置に用いられるＡＮＮデータ送信処理フローを示すフロー図である。
【００８７】
図５に示す統合警報データ管理システム５０ｃは、図４に示す統合警報データ管理システム５０ｂの構成に加えて、さらに、統合警報データ管理装置１ｃがデータ管理部１２に作業中ＤＢ１２２を有し、出力処理部１４に作業中判定処理部１４２を有するものである。その他の構成は第２の実施形態と同様である。
【００８８】
統合警報データ管理システム５０ｃでは、統合警報データ管理システム５０ｂの機能に加えて、点検作業等の計画がある場合に、さらに、作業者の作業期間、作業時間帯および作業対象を管理し、実際に作業中である作業対象に対してＡＮＮ盤３の警報窓を不要に点灯しないように抑制するものである。
【００８９】
このために、統合警報データ管理装置１ｃは、作業員の作業開始時刻および作業終了時刻などをチェックし、作業計画データに基づいて作業中データを生成して、管理する。
【００９０】
以下、図５を参照しながら、前述した構成について説明する。
【００９１】
データ管理部１２は、さらに、作業中データを格納する作業中ＤＢ１２２を有する。作業中データは、作業計画に含まれる各々の作業が、現時点において作業中か否かを示す。作業中データは、例えば作業ＩＤごとに作業内容、作業対象、作業期間、作業員ＩＤ、作業期間の当日の作業開始時刻および作業終了時刻などを含む。作業中ＤＢ１２２は、データ管理部１２により適宜更新される。
【００９２】
ＩＣタグデータには、作業員ＩＣタグ６とＩＣタグ読込処理部１３とが通信した日時が含まれるが、その通信した日時が作業員の作業開始時刻および作業終了時刻であるとは限らない。また、ゲートの作業時間での途中退出、再入出等が区分されない場合もある。
【００９３】
そこで、例えば作業管理装置５により作業開始時刻および作業終了時刻を管理する場合に、作業管理装置５から送信する作業管理データに、必要に応じて作業開始時刻または作業終了時刻を含めて、データ管理部１２へ送信する。なお、作業員ＩＣタグ６が携帯端末のような場合には、所定の作業員（作業員ＩＤ）から作業員ＩＣタグ６を介して、作業管理装置５へ通知するような方法でもよい。
【００９４】
データ管理部１２は、当日の作業開始時刻または作業終了時刻が含まれている作業管理データを受信した場合に、作業計画ＤＢ１２１へ作業開始時刻または作業終了時刻を格納する。さらに、データ管理部１２は、それらのデータに基づいて、作業計画ＤＢ１２１から現在作業中の作業を抽出し、作業中ＤＢ１２２へ作業中データを格納する。
【００９５】
この他にも、データ管理部１２は、作業計画ＤＢ１２１に格納された作業計画データの各々の作業が作業中か否かを判定し、その結果を示す作業中データを生成して、作業計画ＤＢ１２１から現在作業中の作業を抽出し、作業中ＤＢ１２２へ作業中データを格納する。
【００９６】
例えば、データ管理部１２は、作業計画ＤＢ１２１から作業期間で検索をかけ、かつ、作業ＩＤごとに作業開始時刻〜作業終了時刻の作業時間帯に入る現時点において対象となる作業を抽出して、抽出したこれらのデータを作業中データとする。なお、前述したように、作業開始時刻または作業終了時刻が含まれている作業管理データを受信した場合に、対応する作業ＩＤの作業中データとして、データ管理部１２は、それらのデータを作業中ＤＢ１２２へ格納する。
【００９７】
また、ＩＣタグ読込処理部１３からＩＣタグデータを受け、かつ、ＩＣタグデータのなかの作業ＩＤが作業中データに該当する作業ＩＤである場合に、データ管理部１２は、作業計画ＤＢ１２１および作業中ＤＢ１２２を更新する。ＩＣタグデータのなかの作業ＩＤが作業中データに該当しない作業ＩＤである場合に、データ管理部１２は、作業計画ＤＢ１２１のみを更新する。
【００９８】
なお、作業ごとに当日の作業終了時刻が経過した場合に、作業中ＤＢ１２２から該当する作業中データを削除してもよく、また、次の日の所定の時刻に作業中ＤＢ１２２から前日に作業終了時刻を経過している作業を一斉に削除等してもよい。
【００９９】
出力処理部１４の作業中判定処理部１４２は、ＩＣタグデータと、そのＩＣタグデータに含まれる作業ＩＤにより特定される作業管理データ（作業ＩＤを含む）と、アイソレーションデータとを作業計画ＤＢ１２１から読み出す。
【０１００】
出力処理部１４の作業中判定処理部１４２は、さらに、作業中ＤＢ１２２に格納された作業中データを参照して、作業ＩＤごとに作業中データをＡＮＮデータ送信処理部１４１へ通知する。
【０１０１】
この通知を受けたＡＮＮデータ送信処理部１４１は、作業中データに基づいて、作業ＩＤ、作業内容、作業対象、作業期間、現在の作業開始時刻等の表示データを生成し、表示装置４へ出力する。
【０１０２】
この表示データを受けた表示装置４は、作業中データ表示４３として表示する。これにより、運転員が現在作業中である作業により点灯されていない警報窓がいずれであるかを容易に判断することができる。
【０１０３】
また、ＡＮＮデータ送信処理部１４１は、作業中データおよびＡＮＮデータに基づいて、作業中データの対象である警報窓についてＡＮＮ盤３に通知するために、ＡＮＮデータに対応する形式で当該作業中データの対象である警報窓を特定する作業中ＡＮＮデータとして加工し、ＡＮＮ盤３へ送信する。
【０１０４】
ＡＮＮ盤３では、ＡＮＮ出力フィルタ処理部３１が出力処理部１４から作業中ＡＮＮデータを受信する。例えば、ＡＮＮ盤３では、警報窓単位に以下の処理が行われる。
【０１０５】
ＡＮＮ出力フィルタ処理部３１が、出力処理部１４から作業中ＡＮＮデータを受信する。ＡＮＮ出力フィルタ処理部３１は、受信した作業中ＡＮＮデータに基づいて、作業中ＡＮＮデータにて特定された警報窓については点検作業等による点灯抑制対象として警報窓の点灯を行わない。一方、ＡＮＮ出力フィルタ処理部３１は、作業中ＡＮＮデータに含まれない警報窓については警報窓の点灯または消灯を行う。
【０１０６】
以上により、例えばプラント設備の点検作業が数日から数十日の作業期間で実施される複数の作業について、作業を実施している作業期間および作業時間帯にある作業（作業中の作業）に対応する警報窓のみについて点灯（通知）を抑制する。一方、プラント設備の作業期間中であっても、プラント設備の作業期間および作業時間帯に該当しない作業（作業中でない作業）に対応する警報については正確に運転員へ通知することができる。
【０１０７】
図５の統合警報データ管理装置１ｃに用いられる作業中判定処理フローおよびＡＮＮデータ送信処理フローを、図６および図７を用いて説明する。はじめに、図６に示す作業中判定処理フローについて説明する。
【０１０８】
データ管理部１２は、作業計画ＤＢ１２１から作業ＩＤごとに、作業内容、作業対象、作業期間、作業員ＩＤ、作業開始時刻および作業終了時刻などを含む作業計画データを読み込む（ステップＳ２１）。
【０１０９】
次に、データ管理部１２は、読み込んだ作業計画データから現在作業中か否かを判定する（ステップＳ２２）。
【０１１０】
作業計画ＤＢ１２１に登録された作業が現在作業中でない場合、データ管理部１２は、出力処理部１４の作業中判定処理部１４２を介して、ＡＮＮデータ送信処理部１４１へ警報窓の点灯抑制対象外の作業である作業ＩＤを通知する（ステップＳ２３）。
【０１１１】
一方、作業計画ＤＢ１２１に登録された作業が現在作業中の場合、データ管理部１２は、読み込んだ作業ＩＤ、作業内容、作業対象、作業期間、作業員ＩＤ、作業開始時刻などを作業中データとして作業中ＤＢ１２２へ格納する（ステップＳ２４）。
【０１１２】
格納後、作業中判定処理部１４２は、随時、作業中ＤＢ１２２から作業中データを読み込む。作業中判定処理部１４２は、ＡＮＮデータ送信処理部１４１を介して、作業中データ表示４３のための表示データとして表示装置４へ出力し、表示装置４に作業中データ表示４３を表示させる（ステップＳ２５）。
【０１１３】
次に、データ管理部１２は、作業計画ＤＢ１２１に登録されている全ての作業ＩＤについてチェックが完了したか判断する（ステップＳ２６）。
【０１１４】
全ての作業ＩＤについてチェックが終了していない場合（チェック継続）、ステップＳ２１へ処理を戻す。一方、全ての作業ＩＤについてチェックが終了した場合（完了）、本処理フローを終了する。
【０１１５】
次に、図７に示すＡＮＮデータ送信処理フローについて説明する。
【０１１６】
出力処理部１４の作業中判定処理部１４２は、作業計画ＤＢ１２１および作業中ＤＢ１２２に基づいて、現在作業中ではない作業ＩＤを抽出する（ステップＳ３１）。すなわち、作業中判定処理部１４２は、作業中ＤＢ１２２に登録されていない作業ＩＤを、作業計画ＤＢ１２１から抽出する。
【０１１７】
次に、ＡＮＮデータ送信処理部１４１は、データ管理部１２の作業計画ＤＢ１２１を参照して、すべての作業ＩＤと作業によって点灯する（作業ＩＤに関連付けられた）警報窓に対応するＡＮＮデータを作業中ＡＮＮデータとして抽出する（ステップＳ３２）。
【０１１８】
ＡＮＮデータ送信処理部１４１は、抽出した作業中ＡＮＮデータについて、作業中判定処理部１４２により抽出された作業ＩＤに関連付けられた警報窓に対応するＡＮＮデータを除外する（ステップＳ３３）。すなわち、抽出した作業中ＡＮＮデータから現在作業中ではない作業ＩＤに関連付けられた警報窓に対応するＡＮＮデータが除外される。
【０１１９】
ＡＮＮデータ送信処理部１４１は、現在作業中である作業ＩＤに関連付けられた警報窓に対応するＡＮＮデータである作業中ＡＮＮデータを、ＡＮＮ盤３へ送信する（ステップＳ３４）。送信後、本処理フローを終了する。
【０１２０】
第３の実施形態によれば、例えばプラント設備の点検作業が数日から数十日の作業期間で実施される作業については、点検作業を実施している作業期間および作業時間帯だけ、点検作業等による要因で点灯する警報窓の点灯を抑制することができる。このため、不要な警報出力を抑制できるだけでなく、設備の点検期間中であっても必要な設備の警報を正確に運転員へ通知することができる。
【０１２１】
［第４の実施形態］
図８は、本発明に係る統合警報データ管理システムおよび統合警報データ管理装置の第４の実施形態の構成を示すブロック図である。
【０１２２】
図８に示す統合警報データ管理システム５０ｄは、図４に示す統合警報データ管理システム５０ｂの構成に加えて、さらに、統合警報データ管理装置１ｄが出力処理部１４にＡＮＮ予測処理部１４３およびイメージデータ記憶部１４４を有し、表示装置４がＡＮＮ予測表示４４を有するものである。その他の構成は第２の実施形態と同様である。
【０１２３】
統合警報データ管理システム５０ｄは、統合警報データ管理システム５０ｂの機能に加えて、点検作業等の計画がある場合に、さらに、点検作業等により点灯する警報窓の事前確認手段として、予め表示装置にＡＮＮ盤の警報窓のイメージとして表示するものである。
【０１２４】
このために、統合警報データ管理装置１ｄは、ＡＮＮ盤３の警報窓に関するイメージデータを生成して、表示装置４へ出力する。
【０１２５】
以下、図８を参照しながら、前述した構成について説明する。
【０１２６】
出力処理部１４のＡＮＮ予測処理部１４３は、ＡＮＮデータと作業中ＡＮＮデータとに基づいて、作業前のＡＮＮ盤３の警報窓の状態と作業期間中に点灯する警報窓の状態についてのイメージデータを編集する。
【０１２７】
このために、ＡＮＮ予測処理部１４３は、ＡＮＮ盤３の警報窓が点灯しない基本イメージデータをイメージデータ記憶部１４４から読み込む。ＡＮＮ予測処理部１４３は、基本イメージデータに基づいて、作業による要因で点灯する前の警報窓の作業前イメージデータを編集する。また、ＡＮＮ予測処理部１４３は、基本イメージデータに基づいて、作業による要因で点灯した後の警報窓の作業後イメージデータを編集する。
【０１２８】
ＡＮＮ盤３の警報窓とＡＮＮデータとのベースとなる対応関係が基本イメージデータとして予め生成され、予めイメージデータ記憶部１４４に格納されている。出力処理部１４が、基本イメージデータを元にして作業前のＡＮＮ盤３の警報窓の状態（作業前イメージデータに対応）と作業期間中に点灯する警報窓（作業後イメージデータに対応）をＡＮＮ盤３の警報窓のイメージとして編集することができる。出力処理部１４は、これらの編集した警報窓のイメージデータをイメージデータ記憶部１４４へ格納する。
【０１２９】
ＡＮＮ予測処理部１４３は、読み出したイメージデータをＡＮＮ予測表示４４として、表示装置４が表示可能な形式でデータを出力する。ＡＮＮ予測処理部１４３は、例えば作業前イメージデータおよび作業後イメージデータを、ＡＮＮ予測表示４４として表示装置４へ出力する。
【０１３０】
表示装置４は、ＡＮＮ予測処理部１４３からこれらのイメージデータを入力すると、点検作業時に点灯する警報窓についてのイメージを示すＡＮＮ予測表示４４を表示する。
【０１３１】
また、ＡＮＮデータ送信処理部１４１は、データ管理部１２の作業計画ＤＢ１２１に格納されている作業計画データを参照し、作業ＩＤごとにその作業期間中に作業により点灯する警報窓に対応するデータを読み込む。ＡＮＮデータ送信処理部１４１は、例えば読み込んだデータをＡＮＮデータに対応する形式で作業中ＡＮＮデータとして加工し、ＡＮＮ盤３へ送信する。
【０１３２】
ＡＮＮ盤３では、ＡＮＮ出力フィルタ処理部３１が出力処理部１４から作業中ＡＮＮデータを受信する。
【０１３３】
ＡＮＮ出力フィルタ処理部３１は、作業中ＡＮＮデータに基づいて、ＡＮＮ盤３が警報窓を点灯制御する際に、ＡＮＮデータのうちで作業中ＡＮＮデータにて特定された作業により点灯する警報窓について点灯させない。また、ＡＮＮ出力フィルタ処理部３１は、それ以外の警報に対応する警報窓について点灯または消灯させる。すなわち、ＡＮＮ出力フィルタ処理部３１は、ＡＮＮデータを前述したようにフィルタ処理し、点検作業等により作業期間中に点灯する警報窓を抑制する。
【０１３４】
第４の実施形態によれば、プラント設備の点検作業等による要因で点灯する警報窓に対しては点灯を抑制すると共に、その事前確認手段として表示装置にその警報窓の点灯したイメージを予め表示することができるため、運転員が点検作業等による要因で警報窓の点灯を抑制しているか否かを容易に判断することができる。
【０１３５】
［他の実施形態］
以上、本発明のいくつかの実施形態を説明したが、これらの実施形態は、例として提示したものであり、発明の範囲を限定することは意図していない。例えば、各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。また、前述した実施形態の適用例として、発電所などのプラントを監視するプラント監視システムにおける試験装置の一例として示したが、例えば製鉄所などのプラントや、通信設備などを備える通信システムを監視する監視システムの試験装置などにも、適用できることはいうまでもない。
【符号の説明】
【０１３６】
１ａ、１ｂ、１ｃ、１ｄ…統合警報データ管理装置、２…アイソレーション管理装置、３…ＡＮＮ盤、４…表示装置、５…作業管理装置、６…作業員ＩＣタグ、１１…受信処理部、１２…データ管理部、１３…ＩＣタグ読込処理部、１４…出力処理部、３１…ＡＮＮ出力フィルタ処理部、４１…ＡＮＮ状態表示、４２…作業計画データ表示、４３…作業中データ表示、４４…ＡＮＮ予測表示、５０ａ、５０ｂ、５０ｃ、５０ｄ…統合警報データ管理システム、１１１…ＡＮＮ管理連携処理部、１１２…アイソレーション管理連携処理部、１１３…作業管理連携処理部、１２１…作業計画ＤＢ（データベース）、１２２…作業中ＤＢ、１４１…ＡＮＮデータ送信処理部、１４２…作業中判定処理部、１４３…ＡＮＮ予測処理部、１４４…イメージデータ記憶部、１２１１…作業管理データテーブル、１２１２…アイソレーションデータテーブル、１２１３…ＡＮＮデータテーブル、１２１４…ＩＣタグデータテーブル
【図１】
2014170282.tif 000003
【図２】
2014170282.tif 000004
【図３】
2014170282.tif 000005
【図４】
2014170282.tif 000006
【図５】
2014170282.tif 000007
【図６】
2014170282.tif 000008
【図７】
2014170282.tif 000009
【図８】
2014170282.tif 000010